(57)【要約】【課題】可搬記録媒体の負担をなくすとともに、簡単な操作で短時間に所望のサイトへのアクセス、処理の終了を可能にする。【解決手段】リーダ／ライタ（２）が接続されたコンピュータ（１）と、リーダ／ライタを介して記憶情報がコンピュータに取り込まれるとともに、コンピュータから記憶情報の更新が可能な可搬記録媒体（３）とを備え、前記コンピュータには、可搬記録媒体のリーダ／ライタへの装着が検知されたとき、可搬記録媒体に格納されているＵＲＬを読み出し、読み出したＵＲＬのＷｅｂページを視覚的に表示する手段（１２）を立ち上げる常駐制御手段（１１）が格納されているものである。【選択図】        図１
2005025419.tif 000002
【特許請求の範囲】
【請求項１】
リーダ／ライタが接続されたコンピュータと、
リーダ／ライタを介して記憶情報がコンピュータに取り込まれるとともに、コンピュータから記憶情報の更新が可能な可搬記録媒体とを備え、
前記コンピュータには、可搬記録媒体のリーダ／ライタへの装着が検知されたとき、可搬記録媒体に格納されているＵＲＬを読み出し、読み出したＵＲＬのＷｅｂページを視覚的に表示する手段を立ち上げる常駐制御手段が格納されていることを特徴とするインターネット資源へのアクセスシステム。
【請求項２】
可搬記録媒体のリーダ／ライタへの装着が検知されたとき、可搬記録媒体に格納されているＩＤ番号、及びブックマークをさらに読みだすことを特徴とする請求項１記載のアクセスシステム。
【請求項３】
前記常駐制御手段は、リーダ／ライタからの可搬記録媒体の抜き取りが検知されたとき、前記表示する手段を終了させることを特徴とする請求項１記載のアクセスシステム。
【請求項４】
前記常駐制御手段は、さらに、前記Ｗｅｂページに関するデータ及び／又はセキュリティデータを消去することを特徴とする請求項３記載のアクセスシステム。
【請求項５】
前記常駐制御手段は、Ｗｅｂページ上の条件に基づいてＵＲＬが変更されたとき、可搬記録媒体のＵＲＬを変更されたＵＲＬに更新することを特徴とする請求項１乃至４いずれか記載のアクセスシステム。
【請求項６】
前記可搬記録媒体には複数のＵＲＬが格納され、所定の条件に応じたＵＲＬが常駐制御手段に読み込まれることを特徴とする請求項１乃至５いずれか記載のアクセスシステム。
【請求項７】
前記Ｗｅｂページは、商取引に関するページであって、前記常駐制御手段は、利用者の取引状況が所定条件を満たす場合に、前記可搬記録媒体の起動時のＵＲＬを、より有利な条件で取引が可能なサイトのＵＲＬに更新することを特徴とする請求項５または６記載のアクセスシステム。
【発明の詳細な説明】
【０００１】
【発明の属する技術分野】
本発明は、ＩＣカード等の可搬記録媒体を用いてインターネット資源へ自動的にアクセスできるシステムに関する。
【０００２】
【従来の技術】
近年、ＩＣカードにＩＤ番号、パスワード、認証キー等を格納しておき、パーソナルコンピュータに接続してブラウザを立ち上げ、インターネットを経由して所望の商取引会社のホームページにアクセスし、ＩＤ番号やパスワードを送信して閲覧、予約、注文等を行うシステムがいろいろ提案されている。しかし、所定のホームページにアクセスする場合、ブラウザの立ち上げからパスワードや認証キーの送信までの一連の操作を順次行う操作が煩雑であるとともに、誤入力も起こる問題がある。そこで、ＩＣカードに認証処理や暗号データの復号処理等の機能、通信回線に接続するためのアプリケーションソフトの立ち上げから認証までの一連の操作を自動的に行わせようとするシステムが提案されている（特許文献１）。
【０００３】
【特許文献１】特開２００１−１５５０７５号公報
【０００４】
【発明が解決しようとする課題】
しかし、特許文献１の提案においてはＩＣカードに認証処理や暗号データの復号処理等の機能、通信回線に接続するためのアプリケーションソフトの立ち上げから認証までの一連の操作を行わせる機能をＩＣカードにもたせるため、ＩＣカードの負担が大きいとともに、ＩＣカードからプログラム、データを読みだす必要があるため立ち上げまでに時間を要するという問題がある。
【０００５】
【課題を解決するための手段】
本発明は上記課題を解決しようとするもので、ＩＣカード等の可搬記録媒体をリーダ／ライタに装着するだけで、所望のＷｅｂページが表示され、可搬記録媒体を抜き取るだけで処理が終了するようにして、可搬記録媒体の負担をなくすとともに、簡単な操作で短時間に所望のサイトへのアクセス、処理の終了を可能にすることを目的とする。
そのために本発明は、リーダ／ライタが接続されたコンピュータと、リーダ／ライタを介して記憶情報がコンピュータに取り込まれるとともに、コンピュータから記憶情報の更新が可能な可搬記録媒体とを備え、前記コンピュータには、可搬記録媒体のリーダ／ライタへの装着が検知されたとき、可搬記録媒体に格納されているＵＲＬを読み出し、読み出したＵＲＬのＷｅｂページを視覚的に表示する手段を立ち上げる常駐制御手段が格納されていることを特徴とする。
また、本発明は、前記常駐制御手段が、リーダ／ライタからの可搬記録媒体の抜き取りが検知されたとき、前記Ｗｅｂページに関するデータを消去するとともに、前記表示する手段を終了させることを特徴とする。
また、本発明は、前記常駐制御手段が、Ｗｅｂページ上の条件に基づいてＵＲＬが変更されたとき、可搬記録媒体のＵＲＬを変更されたＵＲＬに更新することを特徴とする。
また、本発明は、前記可搬記録媒体には複数のＵＲＬが格納され、所定の条件に応じたＵＲＬが常駐制御手段に読み込まれることを特徴とする。
【０００６】
【発明の実施の形態】
以下、本発明の実施の形態について説明する。なお、以下ではＩＣカードを例にとって説明するが、本発明はＩＣカードに限定されるものではなく、ディスク、ＣＤ−ＲＯＭ、各種半導体メモリ等の可搬記録媒体にも適用可能である。
【０００７】
図１は本実施形態のシステム構成を説明する図である。
パーソナルコンピュータ（以下、パソコン）１にはＩＣカード３のリーダ／ライタ２が接続され、リーダ／ライタを通してＩＣカードのデータの読み出し、データの書き込みが可能である。パソコン１はインターネットリソースのアドレスを示すＵＲＬ（Ｕｎｉｆｏｒｍ  Ｒｅｓｏｕｒｃｅ  Ｌｏｃａｔｏｒ）を入力すると、インターネット網４に接続された該当するサーバー５に接続され、ブラウザが起動してサーバー５の所定のＷｅｂページを視覚的に表示する。このような処理は既存のプログラムにより行われる。
【０００８】
本実施形態では、ＩＣカード３に所望のＵＲＬが格納されており、リーダ／ライタ２にＩＣカードが装着されたことを示す検知信号が加えられると、あらかじめパソコン１にインストールされている常駐の制御プログラム１１がＩＣカード３に格納されているＵＲＬを読み出し、ブラウザ１２を起動させて読みだしたＵＲＬで該当するＷｅｂページを視覚的に表示させるように構成されている。なお、制御プログラムが読みだしたＵＲＬに該当するサーバーへの接続、該当するサーバーから所定のＷｅｂページを取得する処理自体は、制御プログラム１１から既存のプログラムへ制御が渡されて行われる。
【０００９】
図２はＩＣカードに格納されているデータの内容を示す図である。
ＩＣカードには、ＵＲＬ、ＩＤ番号、パスワード、秘密キー、商取引に応じて加算されるポイント、使用履歴等のデータが格納されている。このＩＣカードをリーダ／ライタ２に装着すると、前述の制御プログラムがＵＲＬを読み出すととともにブラウザを起動し、取得されたＷｅｂページが視覚的に表示される。なお、ＩＣカードで商取引を行う場合には、ＩＤ番号、パスワード、秘密キー、ポイント等も制御プログラムに読み出されて認証処理等が自動で行われる。そして、例えば、商取引に応じて加算されるポイントが多くなると、より有利な条件での取引が可能なサイトのＵＲＬに変更されるようなＷｅｂページ上の条件の場合、制御プログラム１１はＩＣカード３のＵＲＬを変更されたＵＲＬに更新する。したがって、次回にはこのＵＲＬが読み出されて該当するＷｅｂページが表示される。なお、ＵＲＬは１つだけではなく、例えば、複数の異なる相手と商取引を行うような場合には、複数のＵＲＬを格納できる。どのＵＲＬを使用するかは、使用時に選択可能にするか、或いは朝、昼、夜等の時間帯に応じて使い分ける等適宜の方法で決めることがが可能である。また、ＩＣカードにブックマーク（お気に入りという場合もある）を記憶することもでき、ＵＲＬとともにブックマークを呼び出すことで、表示するブラウザで使えるようにすることができる。
【００１０】
図３はＩＣカード装着時の処理フローを説明する図である。
ＩＣカードが装着されているか否かチェックし（ステップＳ１）、装着されると制御プログラムがＩＣカードからＵＲＬを読み出し（ステップＳ２）、ブラウザが起動して読み出したＵＲＬのＷｅｂページを表示する（ステップＳ３）。
【００１１】
図４はＩＣカード抜き取り時の処理フローを説明する図である。
ＩＣカードが装着されているか否かチェックし（ステップＳ１１）、ＩＣカードが抜き取られているとアクセスした履歴（日時、ＵＲＬ、ブックマーク）などのブラウザのキャッシュメモリをクリアしてサーバーから読み出したデータを消去する（ステップＳ１２）。さらに、セキュリティデータとして利用者が入力したデータ（クレジット番号、氏名、住所、メールアドレス、パスワードなど）を消去することもできる。この処理によりユーザの秘密保持が保たれる。次いで、ブラウザを立ち下げて終了する（ステップＳ１３）。
【００１２】
図５はＵＲＬの更新処理フローを説明する図である。
ここでは、商取引を行うとサーバー側ではポイントを加算し、Ｗｅｂページ上の条件として、例えばポイントが一定値ｎを超えるとより有利な取引が可能なサイトのＵＲＬに更新する例について説明する。
ブラウザによりＩＣカードに格納されているＵＲＬのＷｅｂページが表示されている（ステップＳ２１）。この画面で、例えば商品購入の手続きをすると（ステップＳ２２）、サーバー側ではポイントを加算し（ステップＳ２３）、ポイントが一定値ｎを超えたか否かチェックし（ステップＳ２４）、超えた場合ＵＲＬを変更し（ステップＳ２５）、変更したＵＲＬのＷｅｂページに遷移し、画面ではそのＷｅｂページが表示される（ステップＳ２６）。制御プログラムでは変更されたＵＲＬにＩＣカードのＵＲＬを更新する（ステップＳ２７）。
【００１３】
【発明の効果】
以上のように本発明によれば、ＩＣカード等の可搬記録媒体をリーダ／ライタに装着するだけで、所望のＷｅｂページが表示され、可搬記録媒体を抜き取るだけで処理を終了することができ、可搬記録媒体の負担をなくすとともに、簡単な操作で短時間に所望のサイトへのアクセス、処理の終了を行うことができる。
【図面の簡単な説明】
【図１】本実施形態のシステム構成を説明する図である。
【図２】ＩＣカードに格納されているデータの内容を示す図である。
【図３】ＩＣカード装着時の処理フローを説明する図である。
【図４】ＩＣカード抜き取り時の処理フローを説明する図である。
【図５】ＵＲＬの更新処理フローを説明する図である。
【符号の説明】
１…パソコン、２…リーダ／ライタ、３…ＩＣカード、４…インターネット網、５…サーバー。
【図１】
2005025419.tif 000003
【図２】
2005025419.tif 000004
【図３】
2005025419.tif 000005
【図４】
2005025419.tif 000006
【図５】
2005025419.tif 000007